(57)【特許請求の範囲】
【請求項１】
室内に配置して使用され、内部に紫外線発光部を有する殺菌室と、前記殺菌室に前記室内の空気を導入する導入部と、前記殺菌室から前記空気を放出する放出部と、外部である前記室内から前記空気を導入して前記導入部、前記殺菌室及び前記放出部に流動させて前記外部へ放出するファンと、がケーシング内に設けられた紫外線殺菌装置であって、
前記殺菌室は、隔壁により前記導入部と仕切られるとともに前記隔壁に設けられた長孔開口により前記導入部と連通し、
前記導入部は、前記隔壁に前記長孔開口と連通した分配室を介して突設された筒部と、該筒部の端部開口と該端部開口近傍の外周囲とを間隙を設けて覆い該筒部との間に導入路を区画するキャップ状のダンパと、を有し、前記導入路を通して導入される前記空気を前記隔壁の前記長孔開口から前記殺菌室へ供給可能であり、
前記隔壁、前記筒部及び前記ダンパにより前記紫外線発光部の紫外線が遮光されている、紫外線殺菌装置。
【請求項２】
前記ケーシング内には前記導入部の一部であって収容部材が収容された空間を有し、前記ダンパが前記空間内に配設されている、請求項１に記載の紫外線殺菌装置。
【請求項３】
前記放出部は、前記殺菌室から外部への放出開口まで屈曲して設けられた放出路を有する、請求項１又は２に記載の紫外線殺菌装置。
【請求項４】
前記殺菌室及び前記放出路が正面壁及び背面壁と、前記長孔開口を有する上面隔壁と、底面壁と、一対の側面隔壁と、により区画されるとともに前記殺菌室と前記放出路とが共通隔壁により区画され、前記正面壁、前記背面壁、前記上面隔壁、前記底面壁、前記共通隔壁のうちの互いに異なる向きに配設されて隣接する前記壁間が凹曲面を介して連続している請求項３に記載の紫外線殺菌装置。
【請求項５】
前記空気の流動方向と直交する前記殺菌室の断面積が前記放出路より広く設けられている、請求項４に記載の紫外線殺菌装置。
【請求項６】
前記殺菌室から処理済空気を前記放出路に流下する出口が前記共通隔壁の先端に設けられ、前記共通隔壁における前記殺菌室の出口側先端が、前記殺菌室側に湾曲した凹曲面形状に形成されている、請求項５に記載の紫外線殺菌装置。
【発明の詳細な説明】
【技術分野】
【０００１】  本発明は、紫外線発光部を有する殺菌室に導入された空気を殺菌して放出する紫外線殺菌装置に関する。
【背景技術】
【０００２】  従来より、紫外線発光部を有する殺菌室に、外部から空気を導入し、紫外線を照射することで殺菌し、外部へ放出するように構成された紫外線殺菌装置は種々知られている。
例えば下記特許文献１には、細長状の筐体の一方の端部に給気用のファンを配置するとともに他方の端部にフィルタを配置し、筐体内のファンとフィルタとの間に紫外線の光源を配置した紫外線殺菌装置が提案されている。
このような紫外線殺菌装置は、室内に配置し、室内の空気を循環させて殺菌処理を行っていた。
【先行技術文献】
【特許文献】
【０００３】
【特許文献１】実用新案登録第３２２１５７８号公報
【発明の概要】
【発明が解決しようとする課題】
【０００４】  しかしながら従来知られている紫外線殺菌装置では、紫外線を発光する光源が各種の筐体等のケーシング内に収容されて配置されているものの、例えば空気を導入又は排出する部位等の隙間から紫外線が外部に漏れやすかった。【０００５】  このような紫外線殺菌装置が室内に設置された場合、漏れた紫外線が室内の天井、壁、床等の構造物や室内に配置されている物品などに紫外線が長時間照射されることになり、これらの各種部材が紫外線により劣化が生じ易く、プラスチック製の部材では著しく劣化が生じていた。また室内に居る人にも紫外線が照射されるため、健康被害が生じることもあった。【０００６】  そこで本発明は、紫外線が外部に放射されることを防止でき、室内に配置して使用しても室内の人や各種部材に対する悪影響を防止できる紫外線殺菌装置を提供することを目的としている。
【課題を解決するための手段】
【０００７】  上記目的を達成するために、本発明の紫外線殺菌装置は、室内に配置して使用され、内部に紫外線発光部を有する殺菌室と、殺菌室に室内の空気を導入する導入部と、殺菌室から空気を放出する放出部と、外部である室内から空気を導入して導入部、殺菌室及び放出部に流動させて外部へ放出するファンと、がケーシング内に設けられた紫外線殺菌装置であって、殺菌室は、隔壁により導入部と仕切られるとともに隔壁に設けられた長孔開口により導入部と連通し、導入部は、隔壁に長孔開口と連通した分配室を介して突設された筒部と、筒部の端部開口と端部開口近傍の外周囲とを間隙を設けて覆い筒部との間に導入路を区画するキャップ状のダンパと、を有し、導入路を通して導入される空気を隔壁の長孔開口から殺菌室へ供給可能であり、隔壁、筒部及びダンパにより紫外線発光部の紫外線が遮光されている。【０００８】  本発明の紫外線殺菌装置では、ケーシング内には導入部の一部であって収容部材が収容された空間を有し、ダンパが空間内に配設されているのがよい。
この紫外線殺菌装置では、放出部は、殺菌室から外部への放出開口まで屈曲して設けられた放出路を有するのがよい。
また殺菌室及び放出路が正面壁及び背面壁と、長孔開口を有する上面隔壁と、底面壁と、一対の側面隔壁と、により区画されるとともに殺菌室と放出路とが共通隔壁により区画され、正面壁、背面壁、上面隔壁、底面壁、共通隔壁のうちの互いに異なる向きに配設されて隣接する壁間が凹曲面を介して連続しているのがよい。【０００９】  さらに本発明の紫外線殺菌装置では、上面隔壁と底面壁との間における互いに平行に配置された一対の側壁間に、殺菌室と放出路とが上面隔壁と平行に配置された共通隔壁により仕切られ、空気の流動方向と直交する殺菌室の断面積が放出路より広く設けられていてもよい。
その場合、殺菌室から処理済空気を放出路に流下する出口が共通隔壁の先端に設けられ、共通隔壁における殺菌室の出口側先端が、殺菌室側に湾曲した凹曲面形状に形成されているのがよい。
【発明の効果】
【００１０】  本発明によれば、導入部から導入された空気が殺菌室内で紫外線発光部からの紫外線により殺菌され、放出部から放出されるように構成されていて、導入部が、殺菌室を仕切る隔壁に突設された筒部と、筒部の端部を覆うことで筒部との間に導入路を区画するキャップ状のダンパと、を備えている。そのため筒部とダンパとの間隙を適度に設定することで、処理対象の空気を適度な流量で殺菌室に導入して紫外線により十分な殺菌を行うことが可能である。
しかもダンパが単に筒部の端部開口を覆うだけでなく、筒部の端部開口と端部開口近傍の外周囲とを覆うので、導入路を屈曲して設けることができるとともに導入路を隔壁に向けて開口させることができる。そのため殺菌室内で発光された紫外線が導入路を通して外部に放射されることを確実に防止でき、紫外線殺菌装置を室内に配置して使用しても、室内の人や部材に紫外線が照射されるおそれがない。
従って、本発明によれば、紫外線が外部に放射されることを防止でき、室内に配置して使用しても室内の人や各種部材に対する悪影響を防止できる紫外線殺菌装置を提供することが可能である。【００１１】  本発明において、ケーシング内には収容部材が収容された収容空間を有し、ダンパが収容空間内に配設されていれば、ダンパをケーシング外に配置する必要がなく、紫外線殺菌装置の外形を嵩張ることなくスリムに形成できる上、殺菌室内の紫外線の放射をダンパにより防止できるため、収容空間内に収容された収容部材に紫外線が照射されることを防止できる。
そのため収容空間内には、例えば樹脂製部材などのように紫外線の影響が生じ易いものであっても収容することが可能であり、収容空間に各種の部材を収容して有効に活用することができる。【００１２】  本発明において、互いに異なる向きに配設されて空気の流動方向に隣接する隔壁間が凹曲面を介して連続していると、殺菌室内で隔壁に沿って流動する空気の流れが、隣接する隔壁間で乱れ難い。そのため殺菌室から流下される空気を安定して流下させつつ紫外線を照射でき、流下される空気の殺菌処理にバラツキが生じ難く、空気流全体に安定して均等に殺菌処理を施すことができる。【００１３】  さらに放出部が殺菌室から外部への放出開口まで屈曲して設けられた放出路を有していると、殺菌室の紫外線が放出開口から外部に漏れることを防止でき、より確実に紫外線が外部に放射されることを防止できる。【００１４】  また本発明において、殺菌室と放出路とが共通隔壁により仕切られ、殺菌室の横幅と放出路の横幅とが同等であって、空気の流動方向と直交する殺菌室の断面積が放出路より広く設けられていると、殺菌室の紫外線が外部に漏れることを防止できる放出路を簡素に構成できる。また殺菌室の空気の滞留時間を長く確保でき、殺菌室内で十分な殺菌処理を行うことが可能である。【００１５】  その場合に共通隔壁における殺菌室の出口側先端が、殺菌室側に湾曲した凹曲面形状に形成されていれば、殺菌室内の紫外線が放出路側に一層漏れにくくすることができる。
【図面の簡単な説明】
【００１６】
【図１】本発明の実施例に係る紫外線照射装置の断面図である。
【図２】図１のＡ−Ａ断面図である。
【発明を実施するための形態】
【００１７】  以下、本発明の実施形態について図を用いて詳細に説明する。
図１及び図２に示すように、本実施形態の紫外線殺菌装置１０は、殺菌室２０と、殺菌室２０に処理対象の空気を導入する導入部３０と、殺菌室２０から処理済の空気を放出する放出部４０と、外部から空気を導入し、導入部３０、殺菌室２０及び放出部４０に流動させ、再び外部へ放出するためのファン１１とを備え、これらがケーシング１２内に一体に装着されている。
【００１８】  ケーシング１２は中空の硬質筐体からなる。形状は任意であり、開口、蓋、窓等が設けられていてもよく、紫外線殺菌装置１０の各種機能部材、殺菌とは異なる目的の各種機能部材などの付属部材が外部又は内部に設けられていてもよい。
本実施形態のケーシング１２は、例えば幅が３００ｍｍ程度、厚みが１００ｍｍ程度、高さが１５０ｍｍ程度の直方体形状を有し、側面上部に外部からの空気の導入開口２１が設けられ、背面の下部に外部への空気の放出開口４１が設けられている。また上部には室内の壁等に吊り下げて装着するための吊下プレート１３が装着されている。
【００１９】  本実施形態のケーシング１２には、さらに紫外線殺菌装置１０を操作するためのスイッチ１４ａ、運転状態を示すランプ等の表示部１４ｂが外部に設けられ、収紫外線殺菌装置１０を駆動するのに必要な各種の電気部品１５を収容する収容空間１６が内部の上部に設けられている。この収容空間１６は導入部３０の一部として共用されている。詳細な図示は省略しているが、外部電源との接続部等も設けられている。
【００２０】  ケーシング１２は任意の材料により形成可能で、例えば樹脂等を用いてもよい。
本実施形態では、ケーシング１２の一部の壁を殺菌室２０や放出部４０を区画するための隔壁として共用するため、後述する殺菌室２０及び放出部４０の隔壁１７と同じく、紫外線が長期間照射されても劣化が生じない、或いは生じ難い材料により形成されている。
【００２１】  殺菌室２０、導入部３０及び放出部４０は、ケーシング１２内を各種の隔壁１７により仕切ることで形成されている。これらはケーシング１２とは別に形成されたものをケーシング１２内に組み込んでも、ケーシング１２と一体に形成してもよい。
【００２２】  本実施形態では、ケーシング１２内に複数の隔壁１７を互いに異なる向きで配置することで、上部に収容空間１６及び導入部３０が区画され、下部に殺菌室２０及び放出部４０が区画されている。
各隔壁１７としては、紫外線が長期間照射されても劣化が生じない、或いは生じ難い、例えば表面処理を施した鋼板、アルミニウム、ステンレス等からなる板材を用いてもよい。
【００２３】  殺菌室２０は、収容空間１６との間を仕切る上面隔壁１７ａと、上面隔壁１７ａの下方側の中央部分を仕切るように幅方向両側に互いに対向して平行に配設された一対の側面隔壁１７ｂと、後述する放出部４０と区画するための共通隔壁１７ｃと、ケーシング１２の正面壁１２ａ及び背面壁１２ｂと、により区画された空間からなり、内部に紫外線発光部としての紫外線ランプ２２が配置されている。
【００２４】  紫外線ランプ２２は、例えば放電によって紫外線を発生する直線形状の内側バルブがガラス等の外管バルブ内に収容された二重管構造を有する直管形のランプ及びＵ字管のランプなどを使用してもよい。発光には好ましくは３００ｎｍ以下の紫外線、より好ましくは２００ｎｍ〜２８０ｎｍの紫外線がより強く含まれるのが好適である。
【００２５】  紫外線ランプ２２の両端には接続部が設けられており、それぞれ一対の側面隔壁１７ｂに設けられている。紫外線ランプ２２は、接続部を用いて殺菌室２０に装着された状態では、殺菌室２０の中心における幅方向全長に配置される。
この紫外線ランプ２２は殺菌室２０を流動する空気の流動方向に対して略直交する方向に配置されており、紫外線ランプ２２から発光される紫外線が殺菌室２０内を流動する空気全体に均一に照射されるように配置されている。
【００２６】  上面隔壁１７ａには、紫外線ランプ２２と対向する位置に、導入部３０と連通するように、紫外線ランプ２２の直径と略同等の幅及び長さを有する長孔状の長孔開口２３が設けられている。長孔開口２３の殺菌室２０側の両測縁には紫外線ランプ２２に向けて突設された一対のガイドフィン２４が設けられている。
【００２７】  一対の側面隔壁１７ｂは、上面隔壁１７ａとケーシング１２の底面壁１２ｄとの間に、紫外線ランプ２２の長さに対応した幅で配置されている。殺菌室２０を流動する空気粒の全幅に紫外線が照射されない部位が生じることを防止している。
共通隔壁１７ｃは、一対の側面隔壁１７ｂ間に上面隔壁１７ａと略平行に配置され、殺菌室２０と放出部４０の放出路４２とを区画している。上面隔壁１７ａと共通隔壁１７ｃとの間は、殺菌室２０を流動する空気に紫外線ランプ２２からの紫外線が十分な強度で照射できる範囲とされている。
【００２８】  処理対象の空気が適度に殺菌室２０内に滞留できるように断面積や容積が設定されているのが好ましく、例えば
殺菌室２０の容積は、紫外線ランプ２２からの紫外線の十分な照射時間を確保できるように設定されている。この容積は、紫外線ランプの発光強度や空気流の流量などに対応して設定することができる。
【００２７】  本実施形態では、殺菌室２０を区画する隔壁１７のうち、互いに異なる向きに配設されて空気の流動方向に隣接する隔壁１７間が、凹曲面１７ｄを介して連続している。具体的には上面隔壁１７ａとケーシング１２の正面壁１２ａ及び背面壁１２ｂとの間、ケーシング１２の正面壁１２ａと共通隔壁１７ｃとの間が、それぞれＲ状の凹曲面１７ｄにより連続している。
また殺菌室２０の出口側における共通隔壁１７ｃの先端も殺菌室２０側に湾曲したＲ状の凹曲面１７ｄとなっている。
【００２８】  導入部３０は、収容空間１６を囲むケーシング１２の側面壁１２ｃに設けられた導入開口２１と、導入開口２１に装着されて外部の空気を導入するファン１１と、収容空間１６と殺菌室２０とを仕切る上面隔壁１７ａに突出して設けられた筒部３１と、筒部３１の端部開口３１ａと端部開口３１ａ近傍の端部開口３１ｂとを覆い筒部３１との間に導入路３２を区画するキャップ状のダンパ３３と、を有している。
【００２９】  この実施形態では、殺菌室２０及び紫外線ランプ２２の横幅に比ベて小さい筒部３１から導入する空気を、上面隔壁１７ａの長孔開口２３から殺菌室２０及び紫外線ランプ２２に均等に供給するために、上面隔壁１７ａに、殺菌室２０の横幅と同等の横幅を有する滞留分配室３４が設けられていて、この滞留分配室３４を介して筒部３１が突出して設けられている。
【００３０】  また滞留分配室３４は、紫外線が照射される殺菌室２０の上面隔壁１７ａに接する位置に空気を一時的に滞留させることで、殺菌室２０からの熱により空気を予熱して殺菌室に導入することが可能となっている。処理対象の空気に紫外線を照射して殺菌を行う場合、処理対象の空気を例えば常温±２℃程度の範囲で照射することで、殺菌効果を向上することができる。
【００３１】  筒部３１は滞留分配室３４の上壁３４ａから収容空間１６内に突出して設けられている。筒部３１の形状は特に限定されず、端部開口３１ａが収容空間１６に突出して開設されるものであればよい。
一方、ダンパ３３は筒部３１の端部開口３１ａと端部開口３１ａ近傍の端部開口３１ｂとを覆うようにキャップ状に形成されている。このダンパ３３は、収容空間１６内に配設されており、端部開口３１ａ及び端部開口３１ａ近傍の端部開口３１ｂに固定されたブラケット３５により位置調整して固定されている。
【００３２】  筒部３１の端部開口３１ａ及び端部開口３１ａ近傍の端部開口３１ｂとダンパ３３との間には、ファン１１により導入された収容空間１６内の空気を殺菌室２０に導入するための導入路３２が設けられている。ダンパ３３の位置が調整されることで適度の断面積を有する導入路３２が形成されている。
さらに、このようなダンパ３３により端部開口３１ａ及びその近傍の端部開口３１ｂが覆われることで、筒部３１の外周囲に形成される導入路３２を上面隔壁１７ａ及び滞留分配室３４の上壁３４ａに向けて開口させることができる。そのため殺菌室２０から紫外線が導入部３０に漏れ出たとしても、収容空間１６に拡散し難い。
【００３３】  放出部４０は、一対の側面隔壁１７ｂ間を共通隔壁１７ｃにより殺菌室２０と仕切ることでケーシング１２の底面壁１２ｄ側に形成された放出路４２と、ケーシング１２の正面壁１２ａの下部に開口して設けられた放出開口４１と、を有する。
【００３４】  放出路４２は放出開口４１までの経路が殺菌室２０に対して屈曲して設けられている。  また放出路４２は一対の側面隔壁１７ｂ間の全幅に設けられているので、殺菌室２０と同等の横幅を有しており、空気の流動方向と直交する断面積が殺菌室２０より狭く設けられている。
さらに放出開口４１はフィルタやメッシュなどが配設されている。
【００３５】  このような本実施形態の紫外線殺菌装置１０は、卓上等室内に載置したり、壁面等に吊り下げた状態で設置して使用される。
稼働すると、ファン１１により室内の空気が連続的に導入部３０から吸引され、収容空間１６に導入され、この空気が導入部３０の筒部３１とダンパ３３との間に形成される導入路３２を通して滞留分配室３４に導入される。
このときダンパ３３により開口量が調整されているので、予め設定された流量で空気を滞留分配室３４に導入することができる。
【００３６】  滞留分配室３４では、筒部３１から導入された空気が上面隔壁１７ａに接して滞留することで適度な温度に昇温され、全体に拡散された状態で、長孔開口２３から殺菌室２０に幅方向に均一導入される。
殺菌室２０では導入された処理対象の空気が、適度に滞留しつつ紫外線ランプ２２の両側を適度な流速で流動する。
このとき紫外線ランプ２２から紫外線が照射され続けることで、処理対象の空気中に含まれる細菌や真菌を死滅させることができ、またウイルスを不活化することができる。そして十分な殺菌処理が施された状態で、処理済空気として殺菌室２０の出口２５に到達する。
【００３７】  その後、処理済空気は殺菌室２０の出口２５から屈曲して設けられた放出部４０の放出路４２を流下し、放出開口４１から再び外部に放出される。
そして導入部３０から順次導入された空気が、殺菌室２０内で紫外線ランプ２２からの紫外線により順次殺菌され、放出部４０から順次放出されることが継続されることで、紫外線殺菌装置１０が配置された室内全体の空気を殺菌処理することができる。
【００３８】  以上のような本実施形態の紫外線殺菌装置１０によれば、導入部３０が殺菌室２０を仕切る隔壁１７に突設された筒部３１と、筒部３１の端部を覆うことで筒部３１との間に導入路３２を区画するキャップ状のダンパ３３と、を備えている。そのため筒部３１とダンパ３３との間隙を適度に設定することで、処理対象の空気を適度な流量で殺菌室２０に導入して紫外線により十分な殺菌を行うことが可能である。
【００３９】  しかもダンパ３３が単に筒部３１の端部開口３１ａを覆うだけでなく、筒部３１の端部開口３１ａと端部開口３１ａ近傍の端部開口３１ｂとを覆うので、導入路３２を屈曲して設けることができるとともに導入路３２を隔壁１７に向けて開口させることができる。
そのため殺菌室２０内で発光された紫外線が導入路３２を通して外部に放射されることを確実に防止でき、紫外線殺菌装置１０を室内に配置して使用しても、室内の人や部材に紫外線が照射されるおそれがない。これにより室内に配置して使用しても室内の人や各種部材に対する悪影響を防止することができる。
【００４０】  この紫外線殺菌装置１０では、ケーシング１２内に電気部品１５等の収容部材が収容された収容空間１６を有し、ダンパ３３が収容空間１６内に配設されている。
そのためダンパ３３をケーシング１２外に配置する必要がなく、紫外線殺菌装置１０の外形を嵩張ることなくスリムに形成できる上、殺菌室２０内の紫外線の放射をダンパにより防止でき、収容空間１６内に収容された電気部品１５等の収容部材に紫外線が照射されることを防止できる。
これにより収容空間１６内には、例えば樹脂製部材などのように紫外線の影響が生じ易いものであっても収容することが可能であり、収容空間１６に各種の部材を収容して有効に活用することができる。
【００４１】  また、この紫外線殺菌装置１０では、互いに異なる向きに配設されて空気の流動方向に隣接する隔壁１７間が凹曲面１７ｄを介して連続している。
そのため殺菌室２０内で隔壁１７に沿って流動する空気の流れが、隣接する隔壁１７間で乱れ難い。そのため殺菌室２０から流下される空気を安定して流下させつつ紫外線を照射でき、流下される空気の殺菌処理にバラツキが生じ難く、空気流全体に安定して均等に殺菌処理を施すことができる。
【００４２】  また、この紫外線殺菌装置１０では、放出部４０が殺菌室２０から外部への放出開口４１まで屈曲して設けられた放出路４２を有している。そのため殺菌室２０の紫外線が放出開口４１から外部に漏れることを防止でき、より確実に紫外線が外部に放射されることを防止できる。
【００４３】  この実施形態の紫外線殺菌装置１０では、殺菌室２０と放出路４２とが共通隔壁１７ｃにより仕切られ、殺菌室２０の横幅と放出路４２の横幅とが同等であって、空気の流動方向と直交する殺菌室２０の断面積が放出路４２より広く設けられている。
そのため殺菌室２０の紫外線が外部に漏れることを防止できる放出路４２を簡素に構成できる。また殺菌室２０の空気の滞留時間を長く確保でき、殺菌室２０内で十分な殺菌処理を行うことが可能である。
【００４４】  また、この紫外線殺菌装置１０では、共通隔壁１７ｃにおける殺菌室２０の出口２５側の先端が、殺菌室２０側に湾曲した凹曲面１７ｄに形成されている。そのため殺菌室２０内の紫外線が放出路４２側に一層漏れにくくすることも可能である。
【００４５】  なお上記実施形態は、本発明の範囲内において適宜変更可能である。
例えば上記実施形態では、ケーシング１２内に収容空間１６を設け、この収容空間１６を導入部３０の一部として共用した例について説明したが、収容空間とは別に導入部３０を設けることは可能である。
また上記では導入部３０の導入開口２１にファン１１を設け、紫外線殺菌装置１０内に空気を流動させて処理済空気を放出するように構成したが、放出部４０にファンを設けることも可能であり、ファンを設置する部位や数などは何ら限定されない。
さらに上記では導入部３０の筒部３１が上面隔壁１７ａに滞留分配室３４を介して突出して設けられた例について説明したが、滞留分配室３４を設けることなく上面隔壁１７ａに直接に筒部３１を設けることも可能である。そのようにすることで、より構成を簡素化することができる。
【符号の説明】
【００４６】１０  紫外線殺菌装置
１１  ファン
１２  ケーシング
１２ａ  正面壁
１２ｂ  背面壁
１２ｃ  側面壁
１２ｄ  底面壁
１３  吊下プレート
１４ａ  スイッチ
１４ｂ  表示部
１５  電気部品
１６  収容空間
１７  隔壁
１７ａ  上面隔壁
１７ｂ  側面隔壁
１７ｃ  共通隔壁
１７ｄ  凹曲面
２０  殺菌室
２１  導入開口
２２  紫外線ランプ
２３  長孔開口
２４  ガイドフィン
２５  出口
３０  導入部
３１  筒部
３１ａ  端部開口
３１ｂ  端部開口
３２  導入路
３３  ダンパ
３４  滞留分配室
３４ａ  上壁
３５  ブラケット
４０  放出部
４１  放出開口
４２  放出路
【要約】
【課題】  紫外線が外部に放射されることを防止でき、室内に配置して使用しても室内の人や各種部材に対する悪影響を防止できる紫外線殺菌装置を提供する。
【解決手段】  内部に紫外線ランプ２２を有する殺菌室２０と、殺菌室２０に空気を導入する導入部３０と、殺菌室２０から空気を放出する放出部４０と、外部から空気を導入して導入部３０、殺菌室２０及び放出部４０に流動させて外部へ放出するファン１１と、がケーシング１２内に設けられた紫外線殺菌装置１０であり、導入部３０は、殺菌室２０を仕切る隔壁１７に突設された筒部３１と、筒部３１の端部開口３１ａと端部開口３１ａ近傍の端部開口３１ｂとを覆い筒部３１との間に導入路３２を区画するキャップ状のダンパ３３と、を有し、隔壁１７、筒部３１及びダンパ３３により紫外線ランプ２２の紫外線が遮光されている。
【選択図】図１【図１】
0006903838.tif 000002
【図２】
0006903838.tif 000003